(57)【要約】【課題】読み取った文書の画像データと患者との対応付けを正確に且つ簡便に行うことができる医用画像管理システム及び画像読取装置を提供する【解決手段】患者受付装置４０は、来院した患者を受け付ける。医用画像サーバー３０は、患者受付装置４０によって受け付けられた患者の患者情報に基づいて患者の管理を行うとともに、管理されている患者を特定する患者識別情報を送信の要求に応じて送信する。ＭＦＰ６０の制御部は、医用画像サーバー３０に患者識別情報の送信を要求する。ＭＦＰ６０の制御部は、医用画像サーバー３０から送信された患者識別情報を受信する。ＭＦＰ６０の画像読取部は、印刷媒体に印刷された画像を読み取る。ＭＦＰ６０の制御部は、画像読取部にて読み取った画像の画像データを患者識別情報から特定される患者に対応付けて医用画像サーバー３０に送信する。【選択図】図１
2014120083.tif 000002
【特許請求の範囲】
【請求項１】
来院した患者を受け付ける患者受付装置と、
前記患者受付装置によって受け付けられた患者の患者情報に基づいて患者の管理を行うとともに、管理されている患者を特定する患者識別情報を送信の要求に応じて送信する管理装置と、
前記管理装置に前記患者識別情報の送信を要求する送信要求手段と、前記管理装置から送信された前記患者識別情報を受信する患者識別情報受信手段と、印刷媒体に印刷された画像を読み取る読取手段と、前記読取手段にて読み取った画像の画像データを前記患者識別情報から特定される患者に対応付けて前記管理装置に送信する画像送信手段と、を有する画像読取装置と、
を備えたことを特徴とする医用画像管理システム。
【請求項２】
前記画像読取装置は、前記患者識別情報受信手段によって受信した前記患者識別情報に対応する患者を識別可能に表示する表示手段を有することを特徴とする請求項１に記載の医用画像管理システム。
【請求項３】
前記管理装置は、前記患者受付装置によって最新に受け付けられた患者の患者識別情報を送信し、
前記画像送信手段は、前記読取手段によって読み取った画像の画像データを前記最後に受け付けられた患者の患者識別情報から特定される患者に対応付けて前記管理装置に送信することを特徴とする請求項１又は２に記載の医用画像管理システム。
【請求項４】
診療録データを患者毎に記憶管理する電子カルテ装置を備え、
前記管理装置は、前記画像読取装置から前記画像データを受信したときに、該画像データを前記電子カルテ装置に送信し、
前記電子カルテ装置は、前記管理装置から前記画像データを受信したときに、該画像データを患者に対応付けて記憶する記憶部を備えていることを特徴とする請求項１〜３の何れか一項に記載の医用画像管理システム。
【請求項５】
患者を撮影することにより得られた医用画像データを患者毎に対応付けて記憶する記憶装置を備え、
前記管理装置は、前記画像読取装置から前記画像データを受信したときに、該画像データを患者に対応付けて前記記憶装置に記憶することを特徴とする請求項１〜４の何れか一項に記載の医用画像管理システム。
【請求項６】
患者の管理を行う管理装置に患者を特定する患者識別情報の送信を要求する送信要求手段と、
前記管理装置から送信された前記患者識別情報を受信する患者識別情報受信手段と、
印刷媒体に印刷された画像を読み取る読取手段と、
前記読取手段にて読み取った画像の画像データを前記患者識別情報から特定される患者に対応付けて前記管理装置に送信する画像送信手段と、
を備えたことを特徴とする画像読取装置。
【発明の詳細な説明】
【技術分野】
【０００１】
本発明は、医用画像管理システム及び画像読取装置に関する。
【背景技術】
【０００２】
近年、医療施設では、電子カルテやレセプト等、書類の電子化が進んでいるが、例えば、診療所等で発行された紹介状や、健康保険証の控え等の文書については、依然として紙ベースで管理されている。
【０００３】
このような文書については、例えば、スキャナー装置等の画像読取装置によって電子化し、アクセス性を良好にするために患者別などカテゴリーに分けて保存しておくことにより、利用の便宜が図られる（例えば、特許文献１）。
【先行技術文献】
【特許文献】
【０００４】
【特許文献１】特開２００８−９０７１５号公報
【発明の概要】
【発明が解決しようとする課題】
【０００５】
しかしながら、上記特許文献１に記載の技術では、画像読取装置によって読み取った画像のデータ（画像ファイル）は、予め設定されている格納領域（フォルダー）に一旦保存されることになる。そして、そのフォルダーに保存された画像ファイルを、ユーザーが端末を用いて患者毎に作成されているフォルダーに移動させる必要がある。あるいは、画像ファイルを患者毎に対応付けるために、画像ファイルのファイル名を適宜変更する必要がある。そのため、画像読取装置によって読み取った文書の画像を患者と紐付ける作業が大変煩雑であった。また、ユーザーの操作によって紐付けが行われるため、紐付けが正しく行われないというミスが発生する可能性がある。さらに、患者と読み取った文書の画像とを正しく紐付けするために、患者を識別するためのＩＤ等を確認し、また、紐付けが正しく行われたかの確認とを要するので、大変手間であった。
【０００６】
本発明の課題は、読み取った文書の画像データと患者との対応付けを正確に且つ簡便に行うことができる医用画像管理システム及び画像読取装置を提供することである。
【課題を解決するための手段】
【０００７】
以上の課題を解決するため、請求項１に記載の発明は、医用画像管理システムにおいて、
来院した患者を受け付ける患者受付装置と、
前記患者受付装置によって受け付けられた患者の患者情報に基づいて患者の管理を行うとともに、管理されている患者を特定する患者識別情報を送信の要求に応じて送信する管理装置と、
前記管理装置に前記患者識別情報の送信を要求する送信要求手段と、前記管理装置から送信された前記患者識別情報を受信する患者識別情報受信手段と、印刷媒体に印刷された画像を読み取る読取手段と、前記読取手段にて読み取った画像の画像データを前記患者識別情報から特定される患者に対応付けて前記管理装置に送信する画像送信手段と、を有する画像読取装置と、
を備えたことを特徴とする。
【０００８】
請求項２に記載の発明は、請求項１に記載の医用画像管理システムにおいて、
前記画像読取装置は、前記患者識別情報受信手段によって受信した前記患者識別情報に対応する患者を識別可能に表示する表示手段を有することを特徴とする。
【０００９】
請求項３に記載の発明は、請求項１又は２に記載の医用画像管理システムにおいて、
前記管理装置は、前記患者受付装置によって最新に受け付けられた患者の患者識別情報を送信し、
前記画像送信手段は、前記読取手段によって読み取った画像の画像データを前記最後に受け付けられた患者の患者識別情報から特定される患者に対応付けて前記管理装置に送信することを特徴とする。
【００１０】
請求項４に記載の発明は、請求項１〜３の何れか一項に記載の医用画像管理システムにおいて、
診療録データを患者毎に記憶管理する電子カルテ装置を備え、
前記管理装置は、前記画像読取装置から前記画像データを受信したときに、該画像データを前記電子カルテ装置に送信し、
前記電子カルテ装置は、前記管理装置から前記画像データを受信したときに、該画像データを患者に対応付けて記憶する記憶部を備えていることを特徴とする。
【００１１】
請求項５に記載の発明は、請求項１〜４の何れか一項に記載の医用画像管理システムにおいて、
患者を撮影することにより得られた医用画像データを患者毎に対応付けて記憶する記憶装置を備え、
前記管理装置は、前記画像読取装置から前記画像データを受信したときに、該画像データを患者に対応付けて前記記憶装置に記憶することを特徴とする。
【００１２】
請求項６に記載の発明は、画像読取装置において、
患者の管理を行う管理装置に患者を特定する患者識別情報の送信を要求する送信要求手段と、
前記管理装置から送信された前記患者識別情報を受信する患者識別情報受信手段と、
印刷媒体に印刷された画像を読み取る読取手段と、
前記読取手段にて読み取った画像の画像データを前記患者識別情報から特定される患者に対応付けて前記管理装置に送信する画像送信手段と、
を備えたことを特徴とする。
【発明の効果】
【００１３】
本発明によれば、読み取った文書の画像データと患者との対応付けを正確に且つ簡便に行うことができる。
【図面の簡単な説明】
【００１４】
【図１】診断システムのシステム構成図である。
【図２】電子カルテ装置の機能的構成を示すブロック図である。
【図３】医用画像サーバーの機能的構成を示すブロック図である。
【図４】患者受付装置の機能的構成を示すブロック図である。
【図５】ＭＦＰの機能的構成を示すブロック図である。
【図６】患者が来院して患者受付装置による受付が行われたときにおける処理の流れについて説明するシーケンス図である。
【図７】医療用文書のスキャンを行うにあたり、患者の情報を読み出すための処理の流れについて説明するシーケンス図である。
【図８】医療用文書のスキャンを行うにあたり、患者の情報を呼び出すが、本日受け付けた患者がいない場合の処理の流れについて説明するシーケンス図である。
【図９】患者を個別に選択するための処理の流れについて説明するシーケンス図である。
【図１０】スキャンして得られた画像ファイルを保存するための処理の流れについて説明するシーケンス図である。
【図１１】画像データ保存処理について説明するフローチャートである。
【図１２】機能選択画面の一例を示す図である。
【図１３】文書選択画面の一例を示す図である。
【図１４】患者指定選択画面の一例を示す図である。
【図１５】患者指定選択画面の一例を示す図である。
【図１６】患者リスト画面の一例を示す図である。
【図１７】患者指定入力画面の一例を示す図である。
【発明を実施するための形態】
【００１５】
以下、図面を参照して本発明に係る実施の形態を詳細に説明する。ただし、発明の範囲は、図示例に限定されない。なお、以下の説明において、同一の機能及び構成を有するものについては、同一の符号を付し、その説明を省略する。
【００１６】
診断システム１は、図１に示すように、モダリティー１０と、電子カルテ装置２０と、医用画像サーバー３０と、患者受付装置４０と、ＭＦＰ（Multi Function Peripheral）６０とを備えて構成されており、各装置は、ＬＡＮ（Local Area Network）等の通信ネットワークＮを介してデータ通信可能に接続されている。
【００１７】
モダリティー１０は、患者の診断対象部位を撮影し、撮影した画像をデジタル変換して画像データを生成する。また、モダリティー１０は、検査オーダー情報や撮影時に入力された情報に基づいて、画像データに付帯される付帯情報を生成する。付帯情報には、患者情報（患者ＩＤ、患者氏名、性別、年齢、生年月日等）、撮影条件（モダリティーの種類、撮影部位、撮影方向、各種パラメーター等）等が含まれる。
例えば、モダリティー１０は、画像データに付帯情報を付帯させ、ＤＩＣＯＭ（Digital Image and Communications in Medicine）規格に則ったＤＩＣＯＭファイル形式でＤＩＣＯＭ準拠画像データを生成する。
モダリティー１０としては、ＣＲ（Computed Radiography）装置等のＸ線画像撮影装置や、超音波画像診断装置等が適用可能である。
【００１８】
電子カルテ装置２０は、電子カルテ作成機能、画像ビューアー機能を有するコンピューター装置である。電子カルテ装置２０は、患者毎、診断毎に、一又は複数の診療行為を記録した診療行為データを生成する。電子カルテ装置２０は、診療行為データを患者受付装置４０に送信する。
【００１９】
電子カルテ装置２０は、図２に示すように、制御部２１、操作部２２、表示部２３、通信部２４、記憶部２５等を備えて構成されており、各部はバス２６により接続されている。
【００２０】
制御部２１は、ＣＰＵ（Central Processing Unit）、ＲＯＭ（Read Only Memory）及びＲＡＭ（Random Access Memory）等から構成され、電子カルテ装置２０の各部の処理動作を統括的に制御する。具体的には、ＣＰＵは、操作部２２から入力される操作信号又は通信部２４により受信される指示信号に応じて、ＲＯＭに記憶されている各種処理プログラムを読み出してＲＡＭに展開し、当該プログラムとの協働により各種処理を行う。
【００２１】
操作部２２は、カーソルキー、数字入力キー及び各種機能キー等を備えたキーボードと、マウス等のポインティングデバイスを備えて構成され、キーボードに対するキー操作やマウス操作により入力された操作信号を制御部２１に出力する。
【００２２】
表示部２３は、ＬＣＤ（Liquid Crystal Display）等のモニターを備えて構成されており、制御部２１から入力される表示信号の指示に従って、各種画面を表示する。
【００２３】
通信部２４は、ネットワークインターフェース等により構成され、通信ネットワークＮを介して接続された外部機器との間でデータの送受信を行う。例えば、通信部２４は、モダリティー１０により患者を撮影して得られた画像データを受信する。また、通信部２４は、診療行為データを患者受付装置４０に送信する。また、通信部２４は、患者受付装置４０からレセプトデータを受信する。また、本実施の形態では、通信部２４は、後述するように、医用画像サーバー３０から、紹介状や健康保険証等の医療用文書（印刷媒体）を読み取って得られた画像ファイルを受信する。
【００２４】
記憶部２５は、ＨＤＤ（Hard Disk Drive）や不揮発メモリー等により構成され、各種処理プログラム、当該プログラムの実行に必要なパラメーターやファイル等を記憶している。また、記憶部２５は、患者毎の電子カルテを記憶し、管理するための電子カルテＤＢを備えている。電子カルテには、例えば、患者ＩＤ、患者氏名、性別、年齢、体重、身長、体温、問診結果、記入日付等の各項目の患者情報が記述されている。また。本実施の形態では、記憶部２５は、医用画像サーバー３０から受信した画像ファイルを保存することができる。
【００２５】
医用画像サーバー３０は、画像ＤＢ３６を備えており、モダリティー１０において生成された画像データを画像ＤＢ３６に記憶し、患者毎に管理する。例えば、画像ＤＢ３６には、ファイルを格納するためのフォルダーが患者毎に作成されており、画像データは対応する患者のフォルダーに格納されることにより患者毎に管理される。医用画像サーバー３０に適用されるシステムとしては、例えば、ＰＡＣＳ（Picture Archiving and Communication System）等が挙げられる。また、画像ＤＢ３６には、登録済みの患者の情報が記述された患者情報テーブルが記憶されている。患者情報テーブルには、例えば、患者毎の患者ＩＤ、患者氏名及び来院日時等が記述されている。本実施の形態では、医用画像サーバー３０は管理装置として機能する。
【００２６】
医用画像サーバー３０は、図３に示すように、画像ＤＢ３６の他、制御部３１、操作部３２、表示部３３、通信部３４、記憶部３５等を備えて構成されており、各部はバス３７により接続されている。
【００２７】
制御部２１は、ＣＰＵ、ＲＯＭ及びＲＡＭ等から構成され、医用画像サーバー３０の各部の処理動作を統括的に制御する。具体的には、ＣＰＵは、操作部３２から入力される操作信号又は通信部３４により受信される指示信号に応じて、ＲＯＭに記憶されている各種処理プログラムを読み出してＲＡＭに展開し、当該プログラムとの協働により各種処理を行う。
【００２８】
操作部３２は、カーソルキー、数字入力キー及び各種機能キー等を備えたキーボードと、マウス等のポインティングデバイスを備えて構成され、キーボードに対するキー操作やマウス操作により入力された操作信号を制御部３１に出力する。
【００２９】
表示部３３は、ＬＣＤ等のモニターを備えて構成されており、制御部３１から入力される表示信号の指示に従って、各種画面を表示する。
【００３０】
通信部３４は、ネットワークインターフェース等により構成され、通信ネットワークＮを介して接続された外部機器との間でデータの送受信を行う。例えば、通信部３４は、モダリティー１０により患者を撮影して得られた画像データを受信する。また、通信部３４は、患者受付装置４０からレセプトデータを受信する。また、本実施の形態では、通信部３４は、後述するように、ＭＦＰ６０から、紹介状や健康保険証等の医療用文書（印刷媒体）を読み取って得られた画像ファイルを受信する。また、通信部３４は、電子カルテ装置２０にこの画像ファイルを送信する。また、通信部３４は、外部機器からの画像データの取得要求に応じて、要求された画像データを当該外部機器に送信する。
【００３１】
記憶部３５は、ＨＤＤや不揮発メモリー等により構成され、各種処理プログラム、当該プログラムの実行に必要なパラメーターやファイル等を記憶している。
【００３２】
患者受付装置４０は、来院した患者の受付処理、会計計算、保険点数計算等を行うためのコンピューター装置である。患者受付装置４０は、診療行為データに含まれる診療行為を診療報酬の点数に変換し、会計計算や保険点数計算を行い、レセプトデータを生成する。レセプトデータは、患者が受けた診療について、医療機関が保険者（市町村や健康保険組合等）に医療費を請求するための診療報酬明細書（レセプト）の情報である。レセプトデータには、患者情報（患者氏名、性別、生年月日等）、患者の健康保険加入情報、請求元の医療機関名、診療科、診療行為データ、診療行為データに含まれる各診療行為に対応する診療報酬の点数等が記載されている。
【００３３】
患者受付装置４０は、図４に示すように、制御部４１、操作部４２、表示部４３、通信部４４、記憶部４５等を備えて構成されており、各部はバス４６により接続されている。
【００３４】
制御部４１は、ＣＰＵ、ＲＯＭ及びＲＡＭ等から構成され、患者受付装置４０の各部の処理動作を統括的に制御する。具体的には、ＣＰＵは、操作部４２から入力される操作信号又は通信部４４により受信される指示信号に応じて、ＲＯＭに記憶されている各種処理プログラムを読み出してＲＡＭに展開し、当該プログラムとの協働により各種処理を行う。
【００３５】
操作部４２は、カーソルキー、数字入力キー及び各種機能キー等を備えたキーボードと、マウス等のポインティングデバイスを備えて構成され、キーボードに対するキー操作やマウス操作により入力された操作信号を制御部４１に出力する。
【００３６】
表示部４３は、ＬＣＤ等のモニターを備えて構成されており、制御部４１から入力される表示信号の指示に従って、各種画面を表示する。
【００３７】
通信部４４は、ネットワークインターフェース等により構成され、通信ネットワークＮを介して接続された外部機器との間でデータの送受信を行う。例えば、通信部４４は、診療行為データを電子カルテ装置２０から受信する。また、通信部４４は、電子カルテ装置２０にレセプトデータを送信する。また、通信部４４は、来院した患者の受付処理を行うと、電子カルテ装置２０と医用画像サーバー３０に対してそれぞれ患者受付情報を送信する。電子カルテ装置２０及び医用画像サーバー３０では、この患者受付情報を受信すると、患者の来院日時等の管理を行うことができる。
【００３８】
記憶部４５は、ＨＤＤや不揮発メモリー等により構成され、各種処理プログラム、当該プログラムの実行に必要なパラメーターやファイル等を記憶している。
【００３９】
画像読取装置としてのＭＦＰ６０は、複写機能、印刷機能及びスキャナー機能等の複数の機能を備えた複合型の画像形成装置である。
【００４０】
ＭＦＰ６０は、図５に示すように、例えば、制御部６１、記憶部６２、操作表示部６３、画像読取部６４、画像形成部６５及び通信部６６を備えて構成されており、各部はバス６７により接続されている。
【００４１】
制御部６１は、ＣＰＵ、ＲＯＭ、ＲＡＭ等により構成される。制御部６１は、ＲＯＭに記憶されているシステムプログラムや各種処理プログラムを読み出してＲＡＭに展開し、展開されたプログラムに従って、ＭＦＰ６０の各部の動作を集中制御する。
【００４２】
記憶部６２は、例えば、フラッシュメモリ等により構成され、ＭＦＰ６０の各部により用いられる各種のプログラムやデータ等を記憶する。
【００４３】
操作表示部６３は、例えば、ＬＣＤ等の表示装置を有し、制御部６１から出力される表示信号に基づいて、各機能の動作状況等の表示を行う。表示装置の表示画面上は、例えば、透明電極を格子状に配置して構成された感圧式（抵抗膜圧式）のタッチパネルにより覆われている。タッチパネルは、手指やタッチペン等で押下された力点のＸＹ座標を電圧値で検出し、検出された位置信号を操作信号として制御部６１に出力する。また、操作表示部６３は、数字ボタン、スタートボタン等の各種操作ボタンを備え、ボタン操作による操作信号を制御部６１に出力する。
【００４４】
画像読取部６４は、スキャナー機能を有しており、印刷媒体に光源を照射して、印刷媒体から反射される反射光を受光し、この受光した光信号を電気信号に変換して画像データを得る。すなわち、画像読取部６４は、印刷媒体に形成された画像をスキャンして画像データを得る。画像読取部６４は、例えば、画像データをＪＰＥＧ（Joint Photographic Experts Group）形式やＰＤＦ（Portable Document Format）形式等のファイル形式に変換することができる。このように、本実施の形態では、画像読取部６４は、印刷媒体に印刷された画像を読み取る読取手段として機能する。
【００４５】
画像形成部６５は、プリントデータに基づき用紙上に画像が形成された出力物を生成する。
【００４６】
通信部６６は、例えば、通信回路等を備え、通信ネットワークＮを介して接続された外部の機器との間で情報の通信制御を行う。具体的には、通信部６６は、外部の機器から通信ネットワークＮを介して送信された印刷ジョブや、後述する患者リスト等を受信する。
【００４７】
次に、診断システム１における動作について説明する。
最初に、患者が来院して患者受付装置４０による受付が行われたときにおける処理の流れについて図６を参照しながら説明する。
【００４８】
まず、患者受付装置４０において、患者の受け付けが行われると（ステップＳ１０１）、患者受付装置４０から電子カルテ装置２０及び医用画像サーバー３０に対して受け付けた患者の情報（患者受付情報）が送信される（ステップＳ１０２）。電子カルテ装置２０の制御部２１は、患者受付装置４０から患者受付情報を受信すると（ステップＳ１０３）、記憶部２５の電子カルテＤＢから対応する患者の電子カルテを読み出す（ステップＳ１０４）。一方、医用画像サーバー３０の制御部３１は、患者受付装置４０から患者受付情報を受信すると（ステップＳ１０５）、画像ＤＢ３６の患者情報テーブルの、受信した患者受付情報に対応する患者の来院日時を更新する（ステップＳ１０６）。
【００４９】
次に、ＭＦＰ６０において、診療所等で発行された紹介状や健康保険証等の医療用文書のスキャンを行うにあたり、患者の情報を呼び出すための処理の流れについて図７を参照しながら説明する。
【００５０】
まず、ＭＦＰ６０の制御部６１は、医療用文書の取り込みの要求を受け付ける（ステップＳ２０１）。具体的には、例えば、図１２に示された機能選択画面Ｐ１を操作表示部６３に表示した後、ユーザーが紹介状や健康保険証等の医療用文書の取り込みを要求する旨のボタン（「Medical Document」ボタン）Ｂ１が押下されると、図１３に示されるような、スキャンを行う文書の種類を選択する文書選択画面Ｐ２が操作表示部６３表示される。文書選択画面Ｐ２には、「保険証等  カードや手帳類」ボタンＢ２、「医療関連機関・企業からの文書  等」ボタンＢ３及び「その他、領収書・請求書  等」ボタンＢ４が操作可能に表示されており、ユーザーはスキャンを行う文書の種類に応じて何れかのボタンを押した後、「患者入力」ボタンＢ５を押下することにより、医療用文書の取り込みの要求が受け付けられる。
【００５１】
続いて、制御部６１は、患者リストの送信要求を医用画像サーバー３０に送信する（ステップＳ２０２）。具体的には、本日受け付けた患者のリストの送信を要求する。このように、制御部６１は、管理装置に患者識別情報の送信を要求する送信要求手段として機能する。
【００５２】
医用画像サーバー３０の制御部３１は、ＭＦＰ６０から患者リストの送信要求を受信すると（ステップＳ２０３）、画像ＤＢ３６の患者情報テーブルを参照し、来院日時が本日である患者の検索を行う（ステップＳ２０４）。
【００５３】
制御部３１は、上述のようにして検索した結果に基づいて、本日受け付けた患者のリスト（患者リスト）を作成し（ステップＳ２０５）、ＭＦＰ６０に送信する（ステップＳ２０６）。患者リストには、患者を特定する患者識別情報としての患者のＩＤ及び患者の氏名が記述されている。
【００５４】
ＭＦＰ６０の制御部６１は、医用画像サーバー３０から患者リストを受信すると（ステップＳ２０７）、この患者リストから最終受付患者を判定する（ステップＳ２０８）。すなわち、制御部６１は、患者リストにリストアップされた患者のうち、最後（最新）に受け付けられた患者を判定する。制御部６１は、判定した最終受付患者を指定選択した後（ステップＳ２０９）、例えば、図１４に示すような患者指定選択画面Ｐ３を操作表示部６３に表示する（ステップＳ２１０）。このとき、図１４に示すように、患者指定選択画面Ｐ３の患者ＩＤ表示欄Ｔ１には、最終受付患者のＩＤが表示され、患者氏名表示欄Ｔ２には、最終受付患者の氏名が表示される。このように、制御部６１は、管理装置から送信された患者識別情報を受信する患者識別情報受信手段として機能する。また、操作表示部６３は、患者識別情報受信手段によって受信した患者識別情報に対応して患者を識別可能な表示を行う表示手段として機能する。
【００５５】
このように、本実施の形態では、医療用文書をスキャンする際に、最終受付患者を指定選択するので、例えば、診療中の患者の医療用文書を電子化するときに、患者を選択する手間を省くことができ、業務の効率化が図れるようになる。また、この最終受付患者を患者指定選択画面に表示することで、スキャンした医療用文書がどの患者に対応付けられるものであるかが容易に認識することができるようになる。
【００５６】
次に、ＭＦＰ６０において、診療所等で発行された紹介状や健康保険証等の医療用文書のスキャンを行うにあたり、患者の情報を呼び出すが、本日受け付けた患者がない場合の処理の流れについて図８を参照しながら説明する。
【００５７】
まず、ＭＦＰ６０の制御部６１は、医療用文書の取り込みの要求を受け付ける（ステップＳ３０１）。続いて、制御部６１は、患者リストの送信要求を医用画像サーバー３０に送信する（ステップＳ３０２）。
【００５８】
医用画像サーバー３０の制御部３１は、ＭＦＰ６０から患者リストの送信要求を受信すると（ステップＳ３０３）、画像ＤＢ３６の患者情報テーブルを参照し、来院日時が本日である患者の検索を行う（ステップＳ３０４）。
【００５９】
制御部３１は、上述のようにして検索した結果、本日受け付けた患者がない場合には、その旨の通知（受付患者なし通知）をＭＦＰ６０に送信する（ステップＳ３０５）。
【００６０】
ＭＦＰ６０の制御部６１は、医用画像サーバー３０から受付患者なし通知を受信すると（ステップＳ３０６）、例えば、図１５に示すような患者指定選択画面Ｐ３を操作表示部６３に表示する（ステップＳ３０７）。このとき、図１５に示すように、患者指定選択画面Ｐ３の患者ＩＤ表示欄Ｔ１及び患者氏名表示欄Ｔ２は、何れも空欄となっている。
【００６１】
次に、ＭＦＰ６０において、患者を個別に選択するための処理の流れについて図９を参照しながら説明する。
【００６２】
まず、ＭＦＰ６０の制御部６１は、患者リストから患者の選択を受け付けたか否かを判定する（ステップＳ４０１）。具体的には、制御部６１は、図１４又は図１５に示される患者指定選択画面Ｐ３の患者選択ボタンＢ７が操作されると、図１６に示すように、患者リスト画面Ｐ５を操作表示部６３に表示する。患者リスト画面Ｐ５には、本日受け付けた患者がリスト表示されている。制御部６１は、患者リスト画面Ｐ５に表示された患者リストから何れかが選択され、ＯＫボタンＢ８が操作されることにより、患者リストから患者の選択を受け付けたか否かを判定することができる。
【００６３】
制御部６１は、患者リストから患者の選択を受け付けたと判定したときは（ステップＳ４０１；ＹＥＳ）、選択された患者を指定選択した後（ステップＳ４０２）、患者指定選択画面Ｐ３を操作表示部６３に表示する（ステップＳ４０３）。このとき、患者指定選択画面Ｐ３の患者ＩＤ表示欄Ｔ１には、選択された患者のＩＤが表示され、患者氏名表示欄Ｔ２には、選択された患者の氏名が表示される。
【００６４】
一方、制御部６１は、患者リストから患者の選択を受け付けたと判定しないときは（ステップＳ４０１；ＮＯ）、患者の指定入力を受け付けたか否かを判定する（ステップＳ４０４）。具体的には、制御部６１は、図１４又は図１５に示される患者指定選択画面Ｐ３の番号入力ボタンＢ６が操作されると、図１７に示すように、患者指定入力画面Ｐ６を操作表示部６３に表示する。患者指定入力画面Ｐ６には、英数字の直接入力が可能なキーボード画像Ｋ１が表示されている。制御部６１は、患者指定入力画面Ｐ６に表示されたキーボード画像Ｋ１が操作されて患者ＩＤが入力された後、ＯＫボタンＢ９が操作されることにより、患者の指定入力を受け付けたか否かを判定することができる。なお、本実施の形態では、キーボード画像Ｋ１を介して患者ＩＤを入力するようにしたが、患者の氏名を入力する形態であってもよい。
【００６５】
制御部６１は、患者の指定入力を受け付けたと判定したときは（ステップＳ４０４；ＹＥＳ）、指定された患者の患者情報の送信要求を医用画像サーバー３０に送信する（ステップＳ４０５）。一方、制御部６１は、患者の指定入力を受け付けたと判定しないときは（ステップＳ４０４；ＮＯ）、この処理を終了する。
【００６６】
医用画像サーバー３０の制御部３１は、ＭＦＰ６０から患者情報の送信要求を受信すると（ステップＳ４０６）、画像ＤＢ３６の患者情報テーブルを参照し、指定された患者の検索を行う（ステップＳ４０７）。
【００６７】
制御部３１は、指定された患者が検索されると、当該患者の患者情報（指定患者情報）をＭＦＰ６０に送信する（ステップＳ４０８）。
【００６８】
ＭＦＰ６０の制御部６１は、医用画像サーバー３０から指定患者情報を受信すると（ステップＳ４０９）、当該患者を指定選択した後（ステップＳ４１０）、患者指定選択画面Ｐ３を操作表示部６３に表示する（ステップＳ４１１）。このとき、患者指定選択画面Ｐ３の患者ＩＤ表示欄Ｔ１には、受信した指定患者情報に対応する患者のＩＤが表示され、患者氏名表示欄Ｔ２には、受信した指定患者情報に対応する患者の氏名が表示される。
【００６９】
次に、紹介状や健康保険証等の医療用文書をスキャンし、スキャンして得られた画像ファイルを保存するための処理の流れについて図１０を参照しながら説明する。
【００７０】
まず、ＭＦＰ６０の制御部６１は、画像の取り込みの入力を受け付ける（ステップＳ５０１）。具体的には、上述した医療用文書を画像読取部６４における所定の画像読取位置にセットし、操作表示部６３のスキャン開始ボタンを操作することにより、画像の取り込みの入力が受け付けられる。
【００７１】
制御部６１は、画像読取部６４に指示して画像読取位置にセットされた医療用文書に形成された画像をスキャンして画像データを得て、画像ファイルを生成する（ステップＳ５０２）。制御部６１は、このようにして生成された画像ファイルを上述のようにして指定選択された患者の患者情報とともに医用画像サーバー３０に送信する（ステップＳ５０３）。患者情報は、本実施の形態では、例えば、ＣＳＶ（Comma Separated Value format）ファイルに記述するようにしたが、何れのファイル形式によって記述されていてもよい。また、画像ファイルのファイル名に、例えば、患者ＩＤを付するようにしてもよい。このように、制御部６１は、読取手段にて読み取った画像の画像データを患者識別情報から特定される患者に対応付けて管理装置に送信する画像送信手段として機能する。
【００７２】
医用画像サーバー３０の制御部３１は、ＭＦＰ６０から画像ファイルを受信すると（ステップＳ５０４）、この画像ファイルを患者情報とともに電子カルテ装置２０に送信する（ステップＳ５０５）。その一方で、制御部３１は、例えば、画像ＤＢ３６に設けられた共用画像フォルダーに画像ファイルを患者情報とともに保存する（ステップＳ５０６）。
【００７３】
電子カルテ装置２０の制御部２１は、医用画像サーバー３０から画像ファイルを受信すると（ステップＳ５０７）、画像ファイルとともに受信した患者情報から患者を特定する（ステップＳ５０８）。制御部２１は、特定した患者に対応する電子カルテを記憶部２５から読み出し、読み出した電子カルテに対応付けて画像ファイルを記憶部２５に記憶する（ステップＳ５０９）。
【００７４】
次に、医用画像サーバー３０において、スキャンして得られた画像ファイルを患者に対応付けて保存するための画像データ保存処理の流れについて図１１を参照しながら説明する。
【００７５】
まず、共用画像フォルダーが検索され（ステップＳ６０１）、共用画像フォルダーに画像ファイルが保存されているか否かが判定される（ステップＳ６０２）。共用画像フォルダーに画像ファイルが保存されている場合には（ステップＳ６０２；ＹＥＳ）、患者情報とともに画像ファイルが共用画像フォルダーから読み出される（ステップＳ６０３）。
【００７６】
続いて、読み出された患者情報から特定される患者に対応する画像フォルダーが画像ＤＢ３６において検索され（ステップＳ６０４）、当該患者に対応する画像フォルダーが存在するか否かが判定される（ステップＳ６０５）。画像ＤＢ３６に当該患者に対応する画像フォルダーが存在しない場合には（ステップＳ６０５；ＮＯ）、当該患者に対応する画像フォルダーが作成される（ステップＳ６０６）。一方、画像ＤＢ３６に当該患者に対応する画像フォルダーが存在する場合には（ステップＳ６０５；ＹＥＳ）、ステップＳ６０６の処理が実行されることなくステップＳ６０７の処理が実行される。そして、上述のようにして検索され、あるいは、新たに作成された画像フォルダーに画像ファイルが保存される（ステップＳ６０７）。
【００７７】
また、ステップＳ６０２において、共用画像フォルダーに画像ファイルが保存されていない場合には（ステップＳ６０２；ＮＯ）、ステップＳ６０３〜ステップＳ６０７の処理が実行されることなくこの処理が終了する。
【００７８】
このように、本実施の形態では、ＭＦＰ６０でスキャンした紹介状や健康保険証等の医療用文書（印刷媒体）に形成された画像から得られた画像ファイルは、医用画像サーバー３０及び電子カルテ装置２０において、患者情報に基づいて、患者に対応付けて保存しておくことができるので、ユーザーによって画像ファイルを整理したり、管理のために画像ファイルのファイル名を変更する等の患者との紐付け操作が不要となり、紹介状や健康保険証等の医療用文書を電子化した場合に、これを簡便に、且つ、確実に管理することができるようになり、業務フローの改善が図れるようになる。
【００７９】
以上説明したように、本実施の形態によれば、患者受付装置４０は、来院した患者を受け付ける。医用画像サーバー３０は、患者受付装置４０によって受け付けられた患者の患者情報に基づいて患者の管理を行うとともに、管理されている患者を特定する患者識別情報を送信の要求に応じて送信する。制御部６１は、医用画像サーバー３０に患者識別情報の送信を要求する。制御部６１は、医用画像サーバー３０から送信された患者識別情報を受信する。画像読取部６４は、印刷媒体に印刷された画像を読み取る。制御部６１は、画像読取部６４にて読み取った画像の画像データを患者識別情報から特定される患者に対応付けて医用画像サーバー３０に送信する。その結果、読み取った文書の画像データと患者との対応付けを正確に且つ簡便に行うことができるようになる。
【００８０】
また、本実施の形態によれば、操作表示部６３は、制御部６１によって受信した患者識別情報に対応する患者を識別可能に表示する。その結果、読み取った文書の画像データと患者との対応付けを明確に認識することができるようになる。
【００８１】
また、本実施の形態によれば、医用画像サーバー３０は、患者受付装置４０によって最新に受け付けられた患者の患者識別情報を送信する。制御部６１は、画像読取部６４によって読み取った画像の画像データを最後に受け付けられた患者の患者識別情報から特定される患者に対応付けて医用画像サーバー３０に送信する。その結果、最後に受け付けられた患者と読み取った文書の画像データとの対応付けを容易に行うことができるようになる。
【００８２】
また、本実施の形態によれば、電子カルテ装置２０は、診療録データを患者毎に記憶管理する。医用画像サーバー３０は、ＭＦＰ６０から画像データを受信したときに、該画像データを電子カルテ装置２０に送信する。記憶部２５は、医用画像サーバー３０から画像データを受信したときに、該画像データを患者に対応付けて記憶する。その結果、電子カルテ装置２０において、診療録データと読み取った文書の画像データとの対応付けを容易に行うことができる。
【００８３】
また、本実施の形態によれば、画像ＤＢ３６は、患者を撮影することにより得られた医用画像データを患者毎に対応付けて記憶する。医用画像サーバー３０は、ＭＦＰ６０から画像データを受信したときに、該画像データを患者に対応付けて画像ＤＢ３６に記憶する。その結果、記憶装置において、読み取った文書の画像データを医用画像データとともに患者毎に容易に管理することができるようになる。
【００８４】
なお、上述した本実施の形態における記述は、本発明に係る好適な診断システムの一例であり、これに限定されるものではない。
【００８５】
また、本実施の形態では、医療用文書をスキャンして得られた画像ファイルを電子カルテ装置２０及び医用画像サーバー３０の双方において保存するようにしたが、何れか一方のみに保存するようにしてもよい。
【００８６】
また、本実施の形態では、画像読取装置として、複写機能、印刷機能及びスキャナー機能等の複数の機能を備えた複合型の画像形成装置を適用したが、少なくともスキャナー機能を備えたものであればよい。
【００８７】
また、本実施の形態では、ＭＦＰ６０の操作表示部６３に患者ＩＤ及び患者氏名を表示するようにしたが、これらの何れかを表示するようにしてもよく、また、これらを表示しない態様であってもよい。
【００８８】
また、本実施の形態では、ＭＦＰ６０が医用画像サーバー３０から患者リストを受信したときに、最終受付患者の患者ＩＤ及び患者氏名を操作表示部６３に表示するようにしたが、最終受付患者の患者ＩＤ等を表示せず、例えば、患者リストを表示するようにしてもよい。
【００８９】
また、例えば、上記の説明では、本発明に係るプログラムのコンピューター読み取り可能な媒体としてハードディスクや半導体の不揮発性メモリー等を使用した例を開示したが、この例に限定されない。その他のコンピューター読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【００９０】
その他、診断システムの細部構成及び細部動作に関しても、本発明の趣旨を逸脱することのない範囲で適宜変更可能である。
【符号の説明】
【００９１】
１  診断システム
２０  電子カルテ装置
２１  制御部
２５  記憶部
３０  医用画像サーバー
３１  制御部
３６  画像ＤＢ
４０  患者受付装置
４１  制御部
６０  ＭＦＰ
６１  制御部
６３  操作表示部
６４  画像読取部
【図１】
2014120083.tif 000003
【図２】
2014120083.tif 000004
【図３】
2014120083.tif 000005
【図４】
2014120083.tif 000006
【図５】
2014120083.tif 000007
【図６】
2014120083.tif 000008
【図７】
2014120083.tif 000009
【図８】
2014120083.tif 000010
【図９】
2014120083.tif 000011
【図１０】
2014120083.tif 000012
【図１１】
2014120083.tif 000013
【図１２】
2014120083.tif 000014
【図１３】
2014120083.tif 000015
【図１４】
2014120083.tif 000016
【図１５】
2014120083.tif 000017
【図１６】
2014120083.tif 000018
【図１７】
2014120083.tif 000019